(57)【要約】【課題】施設情報を端末装置に提供をするサービスシステムにおいて、施設のジャンル分類の変更に容易に対応できるようにする。【解決手段】施設情報サービスシステムは、地図情報及び施設情報の提供を行う外部サーバ５と、取得した地図情報及び施設情報を表示する端末装置１と、これら外部サーバ５及び端末装置１の間に接続されたセンタ４とから構成される。施設情報サービスシステムにおいては、ジャンル分類の管理をセンタ４において行う。これにより、外部サーバ５においてジャンル分類が変更されたときに、端末装置１側での負担なしに対応可能となる。【選択図】      図１
2004326039.tif 000002
【特許請求の範囲】
【請求項１】
地図情報及び施設情報の提供を行う外部サーバと、地図情報及び施設情報を表示する端末装置と、前記外部サーバと前記端末装置との間に接続されたセンタとから構成され、前記センタは、前記端末装置から送信された地図情報及び施設情報の要求に対して、前記外部サーバから地図情報及び施設情報を取得して、前記端末装置に送信し、前記端末装置は、受信した地図情報と施設情報を表示部に表示する施設情報サービスシステムにおいて、
前記センタは、施設情報に関するジャンル分類としてジャンル名称とジャンルコードを記録したジャンル設定ファイルと、前記外部サーバに対して、前記ジャンル名称を送信して、対応するジャンルコードの問合せを行い、前記ジャンル設定ファイルに記録されたジャンルコードを更新する整合手段と、前記端末装置から受信した施設情報の要求に含まれる施設のジャンル分類と、前記ジャンル設定ファイルに記憶してあるジャンル分類とを比較し、不一致の場合は、前記端末装置に対してジャンル分類を更新する信号を送信する更新手段とを具備すること、
を特徴とする施設情報サービスシステム。
【請求項２】
端末装置から地図情報及び施設情報の要求を受信すると、外部サーバに対して地図情報及び施設情報の提供を要求する取得手段と、
前記外部サーバから受信した地図情報及び施設情報に基づいて、前記端末装置での表示に適した地図情報及び施設情報を作成して、前記端末装置に送信する施設情報作成手段と、
施設情報に関するジャンル分類を記録したジャンル設定ファイルと、
前記端末装置から受信した施設情報の要求に含まれる施設のジャンル分類と、前記ジャンル設定ファイルに記憶してあるジャンル分類とを比較し、不一致の場合は、前記端末装置に対してジャンル分類を更新する信号を送信する更新手段と、
を具備することを特徴とするセンタ。
【請求項３】
前記ジャンル設定ファイルには、ジャンル名称とジャンルコートが記録されており、
前記外部サーバに対して、前記ジャンル名称を送信して、対応するジャンルコードの問合せを行い、前記ジャンル設定ファイルに記録されたジャンルコードを更新する整合手段を具備することを特徴とする請求項２に記載のセンタ。
【請求項４】
前記ジャンル設定ファイルには、１つのジャンルコードに複数のジャンル名称が対応して記録されていることを特徴とする請求項３に記載のセンタ。
【請求項５】
前記整合手段によるジャンルコードの更新は、定期的に前記外部サーバに対する問合せを行うことを特徴とする請求項３に記載のセンタ。
【請求項６】
前記整合手段は、整合性チェックの結果、前記外部サーバのジャンルコードが変更されている場合、前記端末装置にジャンルコードの変更を通知することを特徴とする請求項３に記載のセンタ。
【請求項７】
前記整合手段は、前記ジャンル設定ファイルのジャンル名称と前記端末装置から送信されたジャンル名称とが一致しない場合、前記ジャンル設定ファイルに記録されたジャンル名称を前記端末装置に通知することを特徴とする請求項３に記載のセンタ。
【請求項８】
前記整合手段は、前記端末装置から変更をしない要求があれば、変更前のジャンル名称を前記端末装置に通知することを特徴とする請求項３に記載のセンタ。
【請求項９】
センタに対して地図情報及び施設情報の要求を送信する要求手段と、
前記センタから受信した地図情報及び施設情報を記憶する記憶手段と、
前記地図情報及び施設情報をディスプレイに表示する表示手段と、
前記施設情報に含まれるジャンル名称に変更があったとき、それを自動的に変更するか否かを選択しておく選択手段と、
を具備することを特徴とする端末装置。
【請求項１０】
前記選択手段により、変更をしないように設定されているとき、前記表示手段に、変更前のジャンル名称を表示することを特徴とする請求項９に記載の端末装置。
【請求項１１】
ジャンル名称が更新されたことを、通知する通知手段を具備する請求項９に記載の端末装置。
【発明の詳細な説明】
【０００１】
【発明の属する技術分野】
本発明は、端末に施設情報を提供するサービスシステム、並びに、このシステムを構成するセンタ及び端末装置に関する。
【０００２】
【従来の技術】
車載端末などの端末装置に地図情報を提供するサービスシステムがある。このサービスシステムでは、外部サーバが地図情報を保持し、外部サーバと連携するサービスセンタが、端末装置に地図情報を提供する。
提供する地図情報としては、端末装置の現在地地図、指定地地図、目的地地図、ルート案内などがある。
【０００３】
上記サービスシステムにおいては、端末装置の画面上に表示した地図上に所望の施設情報を表示するサービスも提供される。このサービスシステムにおいては、施設情報はジャンル別（例、コンビニ、銀行など）に区分けされ、それぞれにジャンル情報（ジャンル名称、ジャンルコード）が付与される。端末装置において、所望のジャンルを選択する操作を行うと、そのジャンルに含まれる施設のマークが地図上に表示される。
【０００４】
サービスセンタでは、端末装置から地図情報が要求されると、外部サーバに対して施設情報を要求し、地図情報を要求する。そして、応答された地図情報及び施設情報に基づいて、端末装置に適合したフォーマットの地図情報及び施設情報を作成して端末装置にダウンロードする。
このサービスシステムによれば、地図データ、施設情報を共有化して、車両ごとに各情報を保持する必要をなくすことができる。これにより、各端末装置は、簡単な装置で、常に最新の地図情報及び施設情報を得ることができる。
【０００５】
【発明が解決しようとする課題】
施設情報の要求、応答などは、ジャンル情報の内のジャンルコードに基づいて行われる。これに対し、外部サーバにおいては、蓄積した施設のジャンル情報がしばしば変更される。
ジャンルコードが変更されると、端末装置にダウンロードされた施設情報のジャンルコードと、端末装置があらかじめ持っているジャンルコードとが不一致になる。すると、端末装置において所望の施設を表示させようとしても、外部サーバにおけるジャンルコードとは一致しなくなり、異なるジャンルの表示がされるか、エラーの応答があるだけとなる。
【０００６】
また、ジャンルコードの変更よりは頻度が少ないが、ジャンル名称が変更されることがある。この場合、ユーザによっては、旧名称を継続して使用したいと希望する場合がある。
このような、ジャンルコード、ジャンル名称の変更があって、外部サーバと端末装置とで不一致が生じたとき、従来は、端末装置側で施設ジャンルの分類管理を行っていた。このため、外部サーバでジャンル分類が変更される都度、端末装置内のプログラム更新を行う必要があった。
【０００７】
ただ、すべての端末装置でプログラムの更新がされるとは限らない。このため、サービスセンタ側においては、旧プログラムを搭載した端末装置と新プログラムを搭載した端末装置が混在することを想定したサービスを継続しなければならなかった。
本発明は、施設情報を端末装置に提供をするサービスシステムにおいて、施設のジャンル分類の変更に容易に対応できるようにすることを目的とするものである。
【０００８】
【課題を解決するための手段】
本発明は、上記目的を達成するためになされたものである。本発明の施設情報サービスシステムは、地図情報及び施設情報の提供を行う外部サーバと、取得した地図情報及び施設情報を表示する端末装置と、これら外部サーバ及び端末装置の間に接続されたセンタとから構成される。
本発明の施設情報サービスシステムにおいては、ジャンル分類の管理をセンタにおいて行う。これにより、外部サーバにおいてジャンル分類が変更されたときに、端末装置側での負担なしに対応可能となる。
【０００９】
ジャンル分類の内、ジャンルコードの一致性を保つために、センタは、初期起動時及び所定のタイミングで、外部サーバへジャンル名称を用いてジャンルコードを問い合わせる。外部サーバにおいては、ジャンルコードは比較的高頻度で変更されるが、ジャンル名称が変更されることは少ない。したがって、ジャンル名称を用いてジャンルコードを問い合わせることで、外部サーバとセンタにおけるジャンルコードの一致性を保持し、高品質のサービスを提供することができる。
【００１０】
端末装置からの要求信号に付与されたジャンルコード又はジャンル名称が、センタが記憶しているジャンル情報と異なる場合は、センタは、地図情報及び施設情報を端末装置に応答する際、元のジャンル情報に対して、変更されたジャンルコード又はジャンル名称を付与する。
端末装置においては、応答のあった地図情報及び施設情報を記憶し、表示部に表示する。
【００１１】
端末装置は、応答されたジャンルコードに変更があったときは、記憶してあるジャンルコードを新たなものに更新する。
ジャンル名称に変更があったときは、ユーザの設定に応じて、記憶してあるジャンル名称を新たな名称に更新するか、又は旧名称のままとする。これにより、ユーザは、自分の好みの名称を表示部に表示させることができる。
【００１２】
【発明の実施の形態】
本発明を自車位置提供サービスシステムに適用した例について図を用いて説明する。なお、本発明は、このような車両に関するサービスだけでなく、携帯型のＰＤＡ、据え置き型のパソコンなどのそのほかの端末装置に対しても適用可能である。
図１は、本発明の施設情報サービスシステムを適用した自車位置提供サービスシステムの構成を示す。
【００１３】
複数の車載端末１が基地局２、通信網３を介してサービスセンタ４と接続される。サービスセンタ４は、地図データ、施設情報を持つ外部サーバ５と通信網３を介して接続される。
外部サーバ５は、サーバとしての構成を具備し、更に、地図情報を格納した地図データベース（以下、「データベース」は「ＤＢ」と略称する。）６、施設情報を格納した施設ＤＢ７を具備する。
【００１４】
サービスセンタ４は、コンピュータシステムとしての構成を具備し、更に、ジャンル設定ファイル８と、サービス設定ファイル９を具備する。
車載端末１は、通常の車載端末と同様にディスプレイ１０、ＧＰＳ１１を具備し、更に、地図データ記憶用のメモリ１２、ジャンルテーブル１３を具備している。
【００１５】
上記システムにおいては、外部サーバ５が地図ＤＢ６、施設ＤＢ７に持っている地図情報及び施設情報を、サービスセンタ４、各車載端末１が共有することにより、車載端末１ごとに各情報を保持する必要をなくしている。これにより、車載端末１は、簡単な装置で、常に最新の地図情報及び施設情報を得ることができる。
【００１６】
最初に、図１に示したシステムの概略の作用を説明する。
車載端末１のユーザは、自車位置周辺の地図、目的地の地図、指定地の地図などをディスプレイ１０上に表示しようとするとき、サービスセンタ４からサービスの提供を受けるため、車載端末１において所定の操作を行う。車載端末１は、搭載したアプリケーションを用いて、緯度、経度を指定して、サービスセンタ４に地図情報の提供を要求する。同時に、ジャンルテーブル１３に記録されているジャンル情報を要求信号に添付する。
【００１７】
サービスセンタ４は、車載端末１から地図情報の要求を受信すると、外部サーバ５から提供されているアプリケーションを用いて、外部サーバ５に対して、地図情報を要求し、ジャンル情報を用いて施設情報を要求する。
外部サーバ５からは、指定された地図の画像データが応答され、指定されたジャンルの施設情報が応答される。
【００１８】
サービスセンタ４は、外部サーバ５から受信した地図画像データをデータストリーム上に保持し、ジャンルごとの施設情報とパッキングした後、該当の車載端末１に対して、一括応答する。
車載端末１は、サービスセンタ４から受信した地図画像データをメモリ１２に格納し、施設情報をジャンルテーブル１３に格納する。また、地図画像及び施設情報をディスプレイ１０に表示する。
【００１９】
ディスプレイ１０に表示する施設情報は、ユーザが設定したジャンルごとに表示される。また、施設情報については、画面上に表示させないように設定することもできる。
車載端末１にジャンル情報を設定して販売をした後、外部サーバ５においてジャンル情報が変更されることがある。この場合、車載端末１におけるジャンル情報と外部サーバ５におけるジャンル情報が不一致となり、車載端末１から要求された施設情報が提供できなくなる。
【００２０】
これに対して、サービスセンタ４は、定期的に外部サーバ５に対してジャンル情報の問合せを行い、自己のジャンル設定ファイル８を外部サーバ５のものと一致させる。そして、サービスセンタ４は、車載端末１から施設情報の要求を受けたとき、車載端末１から受信したジャンル情報と、ジャンル設定ファイル８に記憶したジャンル情報との比較を行う。
【００２１】
ジャンル情報に不一致があった場合、サービスセンタ４は、車載端末１に対する応答時に、地図情報及び施設情報に対して、新たなジャンル情報を付加する。車載端末１は、受信した地図情報及び施設情報をディスプレイ１０に表示すると共に、ジャンルテーブル１３のジャンル情報を自動的に更新する。また、ジャンル情報が更新されたことは、ユーザに対して、メッセージなどにより通知される。
【００２２】
なお、ジャンル情報のうちジャンル名称については、自動更新をするか否かをユーザが設定できるようになっている。自動更新をしないように設定された場合は、サービスセンタ４から応答のあった新たなジャンル名称は破棄され、旧名称で表示される。これにより、ユーザの好みに応じたサービスを提供することができる。
【００２３】
サービスセンタ４の詳細を説明する。
最初に、サービス設定ファイル９について説明する。サービス設定ファイル９には、自車位置提供サービスを動作させるために必要な各種設定値が定義されている。
図２には、サービス設定ファイル９中の、外部サーバ５に問合せをする時間間隔を設定した部分を示す。
【００２４】
外部サーバ５においては、ジャンルコードは比較的頻繁に変更される。このため、サービスセンタ４は、システムの初期起動時と、サービス設定ファイル９に記録された時間間隔ごとに、外部サーバ５に対してジャンルコードの問合せを行い、外部サーバ５との一致性を確保する。
問合せの時間間隔としては、図２に示すように、毎日行うか、所定の曜日に行うか、問合せを行わないかを設定できる。また、問い合わせる曜日、時間の設定もできる。これらの各設定は変更が可能であり、外部サーバ５の情報更新頻度に合わせて任意に設定できる。
【００２５】
次に、ジャンル設定ファイル８について説明する。
図３に示すように、ジャンル設定ファイル８では、コンビニ、ＧＳ、駐車場などのように、施設がジャンル分類されている。ジャンルごとに、ジャンルコードと、ジャンル名称と、ジャンル名称の履歴が記録される。ジャンルコードは、外部サーバ５のそれに合わせて、常に最新の値で更新される。ジャンル名称は、変更があると、順次、新たな名称が追加されていく。履歴情報として、名称が更新された順序が記録される。
【００２６】
ジャンル設定ファイル８とサービス設定ファイル９の使用方法について説明する。
外部サーバ５は、ジャンルコードを比較的頻繁に変更する。センタ４は、外部サーバ５に対してジャンルコードの問合せを行うことによりジャンル設定ファイル８の更新を行って、ジャンルコードの変更に対処する。
【００２７】
図４を用いて、サービスセンタ４におけるジャンルコード問合せの手順を説明する。
サービスセンタ４は、システムの起動時に、外部サーバ５と接続をして、ジャンルコードの取得要求を行う（Ｓ１）。このとき、ジャンル設定ファイル８に記録された最新のジャンル名称を用いて取得要求を行う。
【００２８】
外部サーバ５は、受信したジャンル名称に対応するジャンルコードを応答する（Ｓ２）。
サービスセンタ４は、受信したジャンルコードがジャンル設定ファイル８に記録してあるものと不一致であれば、ジャンル設定ファイル８のジャンルコードを受信したジャンルコードで書き換える（Ｓ３）。
【００２９】
サービスセンタ４は、サービス設定ファイル９に記録された設定時間（図３参照）が来る（Ｓ４）と、外部サーバ５と接続をして、上記のステップＳ１と同様にジャンルコードの取得要求を行う（Ｓ５）。
外部サーバ５から応答があり（Ｓ６）、施設ＤＢ７に格納されたジャンルコードに変更があれば、上記のステップＳ３と同様にジャンル設定ファイル８のジャンルコードの書き換えを行う（Ｓ７）。以後、サービス設定ファイル９に設定された時間が来る度にステップＳ４−Ｓ７を繰り返す。
【００３０】
ジャンル名称は変更の頻度が低いため、ジャンル名称を用いてジャンルコードを問い合わせることで、ジャンルコードに変更があったことを自動的に検知できる。なお、ジャンル名称が変更された場合は、別途、更新作業が行われる。
ジャンル名称が変更されるときは、図３に示したように、更新の履歴が残され、旧名称も記録に残される。旧名称の使用方法については後述する。
【００３１】
ジャンル設定ファイル８のジャンルコードを、自動的に外部サーバ５のジャンルコードと一致させることにより、外部サーバ５でジャンルコードに変更があった場合でも、車載端末１からの要求に対して、応答ができなくなるような事態を最小限にすることができる。
【００３２】
車載端末１の動作を説明する。
図５は、車載端末１における、自車位置提供サービスを受けようとするときのディスプレイ１０の画面遷移を示す。
（１）は、自車位置提供サービスのメニュー画面である。ここでは、（イ）地図取得要求、（ロ）ナビゲーションシステムにおける目的地設定、（ハ）ナビゲーションのルート案内などのサービスメニューが表示されている。
【００３３】
ここで、（イ）地図取得を選択すると、（２）の地図取得画面が表示され、現在地地図又は指定地地図の選択が可能になる。
現在地地図を選択したときは、（３）に示すように、サービスセンタ４から応答された地図が表示され、画面中央に自車を示すマーク１４が表示される。
【００３４】
地図上に、施設の存在を示すマーク１５が表示される。マーク１５には、１から４の数字が付与され、画面の下側に、マーク１５の１つの番号とそれが示す施設名称が表示される。ユーザが画面上の１つのマーク１５にタッチすると、タッチしたマーク１５の番号と施設名称が、画面下部に表示される。
【００３５】
画面に表示する施設のジャンルを変更しようとする場合、ユーザは、画面の最下段に表示されている「情報」ボタン１６にタッチをする。すると、（４）に示す、ジャンル選択用の画面が表示される。ここで希望のジャンル名称を示すボタンにタッチをすると、（３）に示す画面に戻り、選択したジャンルに属する施設がマーク１５により表示され、施設名称が画面下部に表示される。
【００３６】
図５（４）のジャンル選択用の画面に表示するジャンルは、変更することができる。このためには、搭載したアプリケーションを用いて、サービスセンタ４と接続し、ジャンル設定ファイル８に記録されたジャンルから、希望のジャンルを選択する。これにより、車載端末１のジャンルテーブル１３（後述する図７参照）が書き換えられる。なお、このジャンル書き換えの方法は、従来のものと変わらないので、ここでの詳細な説明は省略する。
【００３７】
図６を用いて、車載端末１による地図情報及び施設情報取得のプロセスを説明する。
図５（２）に示す画面が表示された状態で、ユーザが現在地地図又は指定地地図を選択すると、車載端末１は、地図要求信号をサービスセンタ４に送信する（Ｓ１１）。
【００３８】
地図要求信号には、取得する地図の緯度、経度が含められる。この緯度、経度は、現在地地図要求の場合、車両に搭載されたＧＰＳ１１から取得される。指定地地図の要求の場合、指定地の緯度、経度を選択するためのアプリケーションが呼び出され、ユーザの所定の操作により、指定地の緯度、経度が決定される。
車載端末１は、地図要求信号に、ジャンルテーブル１３に記録されているジャンル名称とジャンルコードを添付する。このジャンル名称とジャンルコードは、施設情報取得に使用される。
【００３９】
図７を用いて、ジャンルテーブル１３の内容を説明する。
ジャンルテーブル１３には、所定数（例えば６個）のジャンルが記録可能である。各ジャンルには、それぞれ１つのジャンル番号、ジャンル名称、ジャンルコードが記録される。
【００４０】
１つのジャンルに対して、所定数（例えば４個）の施設情報が記録可能である。施設情報として、施設ごとに、施設名称、マーク番号、施設の緯度、経度が記録される。図５（３）の地図画面上に表示されるマーク１５は、この施設情報に基づいて表示される。
【００４１】
図６に戻り、サービスセンタ４は、車載端末１から地図要求信号を受信すると、外部サーバ５に対して、施設情報要求信号を送信する（Ｓ１２）。このとき、ジャンルを特定するためにジャンルコードが使用される。
なお、車載端末１で使用しているジャンル名称及びジャンルコードが古いもので、外部サーバ５の施設ＤＢ７のものと一致しない場合がある。
【００４２】
サービスセンタ４は、車載端末１から受信したジャンル名称に基づいて、ジャンル設定ファイル８（図３参照）を検索し、外部サーバ５に問合せをするためのジャンルコードを抽出する。ジャンル設定ファイル８には、変更前のジャンル名称も記録されているので、確実に最新のジャンルコードを抽出することができる。これにより、車載端末１の販売後に外部サーバ５でジャンル分類が変更されていても、簡単に対応することができる。
【００４３】
外部サーバ５は、送信されたジャンルコードに対応する施設情報を施設ＤＢ７から抽出して応答する（Ｓ１３）。サービスセンタ４は、受信した施設情報を記憶する。
サービスセンタ４は、続いて、外部サーバ５に対して、地図情報要求信号を送信する（Ｓ１４）。
【００４４】
外部サーバ５は、地図情報要求信号に含まれる緯度、経度に基づいて、地図ＤＢ６から、対応する地図データ（画像データ）を抽出し、サービスセンタ４に応答する（Ｓ１５）。
サービスセンタ４は、外部サーバ５から受信した画像データをデータストリーム上に保持し、ジャンルごとの施設情報とパッキングした後、該当の車載端末１に対して、一括応答する（Ｓ１６）。
【００４５】
この応答時に、車載端末１から通知されたジャンル名称及びジャンルコードと、ジャンル設定ファイル８に記録された最新のジャンル名称及びジャンルコードとを比較する。ここで、いずれか一方に変更があった場合は、車載端末１に送信する地図情報及び施設情報に最新のジャンル名称とジャンルコードを付加する。
【００４６】
また、サービスセンタ４は、車載端末１から要求されていないジャンル情報を応答することがある。例えば、要求されたジャンルが削除されて存在しなくなったとき、新たに追加されたジャンルを試用してもらいたいときなどにも、追加するジャンルの最新のジャンル名称とジャンルコードを付加する。
【００４７】
図８を用いて、サービスセンタ４から応答信号を受信したときの車載端末１の動作を説明する。
サービスセンタ４から、地図情報、施設情報のダウンロードを受ける（Ｓ２１）と、図示の動作が開始される。
ジャンルコードに変更があったか否かが判定される（Ｓ２２）。ここでは、ジャンル情報に異なるジャンルコードが付加されていれば、ジャンルコードが変更されたと判断する。
【００４８】
ステップＳ２２でジャンルコードが変更されたと判断されたときは、ディスプレイ１０にダウンロードした地図を表示し、ジャンルテーブル１３中のジャンルコードを受信したジャンルコードで更新し、更新されたことを通知する（Ｓ２７）。この通知は、画面上にメッセージで表示するか、ガイドトーンを出力するか、又は音声による読み上げにより行われる。
【００４９】
外部サーバ５におけるジャンルコードの変更は、ジャンル名称は変更されずに、ジャンルコードのみが変更される場合と、ジャンル名称の変更に伴ってジャンルコードが変更される場合とがある。車載端末１が要求したジャンル名称がほかのジャンル名称に変更されていた場合も、ジャンルコードの変更として取り扱われる。このため、ジャンルコードの更新がされた場合は、ユーザに対してジャンルコードの変更があったことが通知される。なお、この通知は省略することができる。
【００５０】
ステップＳ２２でジャンルコードに変更がないと判定されると、ジャンル名称に変更があったか否かが判定される（Ｓ２３）。ここでは、ジャンル情報に異なるジャンル名称が付加されていれば、ジャンル名称が変更されたと判断する。
ステップＳ２３でジャンル名称が変更されていないと判定されれば、ディスプレイ１０に、ダウンロードした地図（施設の表示も含む。）を表示する（Ｓ２５）。この場合は、ジャンルコードもジャンル名称モード変更されていないのであるから、ジャンルテーブル１３の更新はされない。
【００５１】
ステップＳ２３でジャンル名称が変更されたと判定されると、ジャンル名称の自動更新が設定されているか否かが判定される（Ｓ２４）。ユーザによっては、外部サーバ５でジャンル名称が変更されていても、自分は旧名称を使用し続けたいと希望することがある。この場合、ユーザは車載端末１にジャンル名称の自動変更をしないことをあらかじめ設定しておく。
【００５２】
自動更新をしないと設定されていると、ダウンロードした地図をディスプレイ１０に表示する（Ｓ２５）。この場合、ジャンルテーブル１３の更新とユーザに対するジャンル名称の変更の通知は行われない。
ステップＳ２４で自動更新が設定されている場合は、ディスプレイ１０にダウンロードした地図を表示し、ジャンルテーブル１３中のジャンル名称を受信したジャンル名称で更新し、名称が更新されたことをユーザに通知する（Ｓ２６）。この通知は、画面上にメッセージで表示するか、ガイドトーンを出力するか、又は音声による読み上げにより行われる。
【００５３】
使い慣れたユーザには勝手にジャンル名称が変わることを望まない場合もある。これに対して、変更前のジャンル名称を継続表示することを選択できるので、ユーザの使い勝手を向上させることができる。このように、ユーザに選択権を与えることで、より広いユーザ層の要望に対応できるようになる。
さらに、ジャンル名称が変更されたときは、ユーザに対して通知がされるので、ユーザは、変更があったことを認識することができる。なお、この通知は省略することができる。
【００５４】
なお、図８のステップＳ２４は省略することができる。この場合、ステップＳ２３でジャンル名称が変更されたと判定されると、ステップＳ２６へ進んで、ジャンルテーブル１３におけるジャンル名称の更新がされる。
さらに、ジャンル名称の自動更新をするか否かを、車載端末１で行う代わりに、サービスセンタ４側で行うようにすることもできる。この場合、図６のステップＳ１１で車載端末１が地図要求信号をサービスセンタ４に送信するとき、ジャンル名称自動更新の有無を要求信号に添付する。
【００５５】
サービスセンタ４では、図６のステップＳ１６で応答するとき、車載端末１からジャンル名称更新が要求されていなければ新名称の添付は行わず、要求されていれば、新名称を添付する。
車載端末１では、この場合、図８のステップ２４を省略し、ジャンル名称の変更を検知すれば、新ジャンル名称でジャンルテーブル１３を更新する。
【００５６】
以上説明したように、施設情報を端末に提供をするサービスシステムにおいて、施設のジャンル分類の変更をサービスセンタ４が管理するようにした。これにより、車載端末１の発売後においても、ユーザの要求や市場の動向などに、車載端末１のプログラムのバージョンアップなどをすることなく簡単に対応できる。
【００５７】
【発明の効果】
本発明によれば、施設情報を端末に提供をするサービスシステムにおいて、施設のジャンル分類の変更に容易に対応できるようにすることができる。
【図面の簡単な説明】
【図１】本発明を適用した自車位置提供サービスシステムの構成を示す図である。
【図２】図１のサービスセンタにおけるサービス設定ファイルの内容を示す図である。
【図３】図１のサービスセンタにおけるジャンル設定ファイルの内容を示す図である。
【図４】図１のサービスセンタにおけるジャンルコード問合せの手順を示すタイムチャートである。
【図５】図１の車載端末における、自車位置提供サービスを受けるときのディスプレイの画面遷移を示す図である。
【図６】図１のシステムにおける、地図情報及び施設情報取得のプロセスを示すタイムチャートである。
【図７】図１の車載端末に格納される地図データと施設情報を示す図である。
【図８】図１の車載端末における地図情報ダウンロード時の動作を示すフローチャートである。
【符号の説明】
１…車載端末
２…基地局
３…通信網
４…サービスセンタ
５…外部サーバ
６…地図ＤＢ
７…施設ＤＢ
８…ジャンル設定ファイル
９…サービス設定ファイル
１０…ディスプレイ
１１…ＧＰＳ
１２…メモリ
１３…ジャンルテーブル
１４…自車を示すマーク
１５…施設を示すマーク
１６…情報ボタン
【図１】
2004326039.tif 000003
【図２】
2004326039.tif 000004
【図３】
2004326039.tif 000005
【図４】
2004326039.tif 000006
【図５】
2004326039.tif 000007
【図６】
2004326039.tif 000008
【図７】
2004326039.tif 000009
【図８】
2004326039.tif 000010